(57)【要約】  発振信号がコールドスタートからの規定の定常状態条件に達する時を早める回路を含んでいる発振信号を生成するための装置。装置は、発振信号を生成するための発振回路と、発振回路に第１の電流を供給する第１の回路と、発振回路に第２の電流を供給する第２の回路と、を含み、第１および第２の電流は、発振信号が規定の定常状態条件に達するための時間分を縮小するのに適している。装置は、１以上の通信チャネルを確立するために低い負荷サイクルパルス変調を用いる通信システムに有益であるかもしれず、それによって装置はパルスのほぼ始めで発振信号を生成し始め、パルスのほぼ終わりに発振信号を終了する。
2010524335.tif 000002
【特許請求の範囲】
【請求項１】
発振信号を生成するための装置であって、
発振信号を生成する第１の回路と、
前記第１の回路に第１の電流を供給する第２の回路と、
前記第１の回路に第２の電流を供給する第３の回路と、を具備し、
前記第１および第２の電流は前記発振信号が規定の定常状態条件に達する時間分を縮小するようになっている装置。
【請求項２】
前記第１の回路は、
タンク回路と、
前記タンク回路につながれた負性抵抗生成器と、を具備する請求項１の装置。
【請求項３】
前記タンク回路は、
誘導デバイスと、
前記誘導デバイスと並列につながれた容量デバイスと、を具備する請求項２の装置。
【請求項４】
前記容量デバイスはプログム可能なスイッチドキャパシターバンクを具備する請求項３の装置。
【請求項５】
前記発振信号の前記規定の定常状態条件を検出することに応じて、前記第１の回路に前記第２の電流を供給することから前記第３の回路を無効にするのに適した定常状態検出器をさらに具備する請求項１の装置。
【請求項６】
前記規定の定常状態条件は前記発振信号の振幅安定性に基く請求項１の装置。
【請求項７】
前記規定の定常状態条件は１５パーセント以上変化しない前記発振信号の振幅に基く請求項６の装置。
【請求項８】
前記規定の定常状態条件は前記発振信号の周波数安定性に基く請求項１の装置。
【請求項９】
前記規定の定常状態条件は１パーセント以上変化しない前記発振信号の周波数に基く請求項８の装置。
【請求項１０】
前記発振信号が規定の周波数範囲内で繰り返すように、前記第１の回路を調整するのに適した周波数較正ユニットをさらに具備する請求項１の装置。
【請求項１１】
前記規定の周波数範囲は定義された中心周波数の１パーセントに等しい請求項１０の装置。
【請求項１２】
前記周波数較正ユニットは、前記装置の電源を入れる上で、定義された閾値の上の周囲温度変化の検出する上で、または第１の回路のための新規の周波数通知の受信する上で、第１の回路を調整するのに適している請求項１０の装置。
【請求項１３】
別の装置との間で少なくとも１つのウルトラワイドバンド通信チャネルを確立するために前記発振信号に応答する送受信機をさらに具備する請求項１の装置。
【請求項１４】
ウルトラワイドバンドチャネルはそれぞれ２０％以上のオーダーの分数帯域幅を有しているか、５００ＭＨｚ以上のオーダーの帯域幅を有しているか、または、２０％以上のオーダーの分数帯域幅を有していてかつ５００ＭＨｚ以上のオーダーの帯域幅を有している請求項１３の装置。
【請求項１５】
発振信号を生成するための方法であって、
第１の電流の生成し、
第２の電流の生成し、
前記第１および第２の電流に応じて発振信号を生成することを具備し、
前記第２の電流は、前記発振信号が規定の定常状態条件に達する時間分を縮小する方法。
【請求項１６】
前記発振信号を生成することは、
タンク回路と、
前記タンク回路につながれた負性抵抗生成器によって遂行される請求項１５の方法。
【請求項１７】
前記タンク回路は、
誘導デバイスと、
前記誘導デバイスと並列につながれた容量デバイスと、を具備する請求項１６の方法。
【請求項１８】
前記容量デバイスはプログム可能なスイッチドキャパシターバンクを具備する請求項１７の方法。
【請求項１９】
前記発振信号の前記規定の定常状態条件を検出することに応じて前記第２の電流の生成を無効にする請求項１５の方法。
【請求項２０】
前記規定の定常状態条件は前記発振信号の振幅安定性に基く請求項１５の方法。
【請求項２１】
前記規定の定常状態条件は１５パーセント以上変化しない前記発振信号の振幅に基く請求項２０の方法。
【請求項２２】
前記規定の定常状態条件は前記発振信号の周波数安定性に基く請求項１５の方法。
【請求項２３】
前記規定の定常状態条件は１パーセント以上変化しない前記発振信号の周波数に基く請求項２２の方法。
【請求項２４】
前記発振信号が規定の周波数範囲内で繰り返されるように、発振信号を較正することをさらに含む請求項１５の方法。
【請求項２５】
規定の周波数範囲は定義された中心周波数の１パーセントと等しいことを特徴とする請求項２４の方法。
【請求項２６】
前記発振信号を較正することは、パワーアップを検出することに応じて、定義された閾値より上での周囲温度変化を検出することに応じて、または新規の周波数通知を受信することに応じて行われる請求項２４の方法。
【請求項２７】
前記発振信号を用いて、少なくとも１つのウルトラワイドバンド通信チャネルを確立することをさらに含む請求項１５の方法。
【請求項２８】
ウルトラワイドバンドチャネルはそれぞれ２０％以上のオーダーの分数帯域幅を有しているか、５００ＭＨｚ以上のオーダーの帯域幅を有しているか、または、２０％以上のオーダーの分数帯域幅を有していてかつ５００ＭＨｚ以上のオーダーの帯域幅を有している請求項２７の方法。
【請求項２９】
発振信号を生成するための装置であって、
発振信号を生成する手段と、
前記生成手段に第１の電流を供給する手段と、
前記生成手段に第２の電流を供給する手段と、を具備し、前記第１および第２の電流は前記発振信号が規定の定常状態条件に達する時間分を縮小するようになっている装置。
【請求項３０】
前記生成手段は、
タンク回路と、
前記タンク回路につながれた負性抵抗生成器と、を具備する請求項２９の装置。
【請求項３１】
前記タンク回路は、
誘導デバイスと、
前記誘導デバイスと並列につながれた容量デバイスと、を具備する請求項３０の装置。
【請求項３２】
前記容量デバイスはプログム可能なスイッチドキャパシターバンクを具備する請求項３１の装置。
【請求項３３】
前記発振信号の前記規定の定常状態条件を検出することに応じて、前記第２の電流を供給することから第２電流供給手段を無効にする手段をさらに具備する請求項２９の装置。
【請求項３４】
前記規定の定常状態条件は前記発振信号の振幅安定性に基く請求項２９の装置。
【請求項３５】
前記規定の定常状態条件は１５パーセント以上変化しない前記発振信号の振幅に基く請求項３４の装置。
【請求項３６】
前記規定の定常状態条件は前記発振信号の周波数安定性に基く請求項２９の装置。
【請求項３７】
前記規定の定常状態条件は１パーセント以上変化しない前記発振信号の周波数に基く請求項３６の装置。
【請求項３８】
前記発振信号が規定の周波数範囲内で繰り返すように、前記発振信号生成手段を較正する手段をさらに具備する請求項２９の装置。
【請求項３９】
前記規定の周波数範囲は定義された中心周波数の１パーセントに等しい請求項３８の装置。
【請求項４０】
前記較正手段は、前記装置の電源を入れる上で、定義された閾値の上の周囲温度変化を検出する上で、または前記発振信号生成手段のための新規の周波数通知の受信する上で、前記発振信号生成手段を較正するのに適している請求項３８の装置。
【請求項４１】
前記発振信号を用いて、別の装置との間で少なくとも１つのウルトラワイドバンド通信チャネルを確立する手段をさらに具備する請求項２９の装置。
【請求項４２】
ウルトラワイドバンドチャネルはそれぞれ２０％以上のオーダーの分数帯域幅を有しているか、５００ＭＨｚ以上のオーダーの帯域幅を有しているか、または、２０％以上のオーダーの分数帯域幅を有していてかつ５００ＭＨｚ以上のオーダーの帯域幅を有している請求項４１の装置。
【請求項４３】
発振信号を生成するためのコンピュータプログラム製品であって、該製品は、少なくとも１つのコンピュータによって以下の実行可能なコードを具備し、
発振信号を生成し、
前記発振信号の生成を生産する第１の電流を供給し、
前記発振信号が規定の定常状態条件に達する時間分を縮小するために第２の電流を供給することを具備する製品。
【請求項４４】
距離に基いて動作を行うためのヘッドセットであって、
発振信号を生成する第１の回路と、
前記第１の回路に第１の電流を供給する第２の回路と、
前記第１の回路に第２の電流を供給する第３の回路と、前記第１および第２の電流は前記発振信号が規定の定常状態条件に達する時間分を縮小するのに適していて、
少なくとも１つのオーディオ信号を生成するのに適したトランスデューサーと、
前記少なくとも１つのオーディオ信号と前記発振信号とを合成し、該合成された信号を送信するのに適した送信機と、を具備するヘッドセット。
【請求項４５】
距離に基いて動作を行うための時計であって、
発振信号を生成する第１の回路と、
前記第１の回路に第１の電流を供給する第２の回路と、
前記第１の回路に第２の電流を供給する第３の回路と、前記第１および第２の電流は前記発振信号が規定の定常状態条件に達する時間分を縮小するのに適していて、
到来信号と前記発振信号とを合成するのに適した受信機と、
前記合成された信号に基いて視覚的な出力を提供するのに適したディスプレイと、を具備する時計。
【請求項４６】
距離に基いて動作を行うための医療機器であって、
発振信号を生成する第１の回路と、
前記第１の回路に第１の電流を供給する第２の回路と、
前記第１の回路に第２の電流を供給する第３の回路と、前記第１および第２の電流は前記発振信号が規定の定常状態条件に達する時間分を縮小するのに適していて、
前記少なくとも１つのセンスされた信号を生成するのに適したセンサと、
前記少なくとも１つのセンスされた信号と前記発振信号とを合成し、該合成された信号を無線通信リンク上で送信する送信機と、を具備する医療機器。
【発明の詳細な説明】
【技術分野】
【０００１】
本開示は、一般的に発振信号の生成に関し、特に発振信号が規定の定常状態条件に達する時間を縮小することに関する。
【背景技術】
【０００２】
以前の通信システムは、一般的に非能率な電力である技術を用いる。これらのシステムは、送信機および受信機が通信を送信または受信していない間でさえ常時電力を必要とするそれらを典型的には用いる。常に電力を消費する間に使用されていないままであるようなシステムは、パワー観点から典型的に非能率である。
【０００３】
いくつかのアプリケーションでは、パワー非能率な通信装置はそれらの連続使用に関して限定を与えてもよい。例えば、バッテリー電力に一般的に依存するポータブル通信装置は、バッテリーを差し替えるか充電する必要がある前に、比較的短い連続操作を提供する。いくつかの状況において、これは、データ損失、通信遅延、中断されたセッションおよびダウンタイムのような意に沿わない結果になるかもしれない。
【０００４】
他方では、アイドルタイムの時に実質的により低い電力を消費する通信システムは制限のある電源で長い期間動作することができる。このように、信号が送信されることになっている場合に限り送信機に電力を供給する通信システムは、一般的に電力が継続的に供給される送信機より少ない電力を消費する。同様に、信号が受信されることになっている場合に限り受信機に電力を供給する通信システムは、一般的に電力が継続的に供給される受信機より少ない電力を消費する。
【０００５】
パルス変調器は信号を送受信するための時間を制御するために用いられてもよい。この点では、パルス変調器は、パルスの持続期間のためのみの信号を送信するための送信機局部発振器（ＬＯ）に電力を供給してもよい。同様に、パルス変調器は、パルスの持続期間のためのみの信号を受信するための受信機ＬＯに電力を供給してもよい。このキャパシティでは、ＬＯは、各パルスの持続期間内の発振信号を生成し維持する。低い負荷サイクル適用におけるようにパルス幅が比較的短い場合、ＬＯは十分に安定した発振信号を生成するために直ちに応答するべきである。
【発明の概要】
【０００６】
この開示のサンプル態様の要約は以下である。利便性上、この開示の１以上の態様はここで単に「いくつかの態様」と呼ばれてもよい。
【０００７】
この開示のいくつかの態様は発振信号を生成するための装置に関する。装置は、発振信号を生成する第１の回路と、第１の回路に第１の電流を供給する第２の回路と、第１の回路に第２の電流を供給する第３の回路と、を具備し、第１および第２の電流は発振信号が規定の定常状態条件に達するための時間分を縮小するのに適している。
【０００８】
ある態様では、装置は電圧制御発振器（ＶＣＯ）として構成されてもよい。この点では、第２の回路は、発振信号がコールドスタートからの規定の定常状態条件に達する時を早めるために、ブーストバイアス回路として構成されてもよい。これは、１以上の通信チャネルを確立するために低い負荷サイクルパルス変調を用いるデバイスおよび通信システムに特に役立つ。そのような応用では、局部発振器（ＬＯ）として役立つＶＣＯは、パルスのほぼ始めで発振信号を生成し始め、パルスのほぼ終わりに発振信号を終了する。向上された通信性能については、発振信号はパルス幅に比べて比較的短期間で規定の定常状態条件に達するべきである。
【０００９】
ある態様では、ＶＣＯは、発振信号を生成する発振回路と、発振回路にゼロ入力電流を供給する休止バイアス回路と、発振回路にブースト電流を供給するブーストバイアス回路と、を具備し、ブースト電流およびゼロ入力電流は発振信号が規定の定常状態条件に達するために時間分を縮小するのに適している。
【００１０】
ある態様では、装置の第１の回路は、負性抵抗生成器につながれたタンク回路を具備してもよい。タンク回路は、次には、容量エレメントにつながれた誘導素子を具備してもよい。容量エレメントは発振信号の周波数を調整するためのプログラマブルなスイッチドキャパシターバンクを具備してもよい。
【００１１】
ある態様では、装置は、発振信号の規定の定常状態条件を検出することに応じて、第１の回路に第２の電流を供給することから第３の回路を無効にするのに適した定常状態検出器をさらに具備してもよい。このように、第３の回路は、発振信号の規定の定常状態条件に直ちに到達するために、単にスタートアップで用いられてもよい。発振信号の規定の定常状態条件は、発振信号の振幅および／または周波数について安定要件を指定してもよい。
【００１２】
ある態様では、装置は、発振信号が規定の周波数範囲内に繰り返すように第１の回路を調整するのに適した周波数較正ユニットをさらに具備してもよい。エネルギー検知システムのようないくつかの通信システムでは、ＬＯの周波数はあまり正確である必要がない。例えば、規定の周波数範囲は定義された中心周波数の５パーセント以内かもしれない。周波数較正ユニットは、定義された閾値上の周囲温度変化を検出する際、および／または発振信号について新規の周波数仕様を受信する際に、パワーアップに関して第１の回路を較正するか調整するのに適しているかもしれない。
【００１３】
ある態様では、１以上の装置は、信号をアップコンバートしダウンコンバートするために、通信システムとデバイスにおいて局部発振器（ＬＯ）として用いられてもよい。例えば、装置は、パルス分割多重アクセス（ＰＤＭＡ）、パルス分割マルチプレキシング（ＰＤＭ）または他の型のパルス変調技術を用いて、他のデバイスと通信するための１以上のウルトラワイドバンド（ＵＷＢ）チャネルを確立するために用いられてもよい。ＵＷＢチャネルは、約２０％またはそれ以上のオーダーでの分数帯域幅（fractional bandwidth）、約５００ＭＨｚまたはそれ以上の帯域幅またはその両方を持っていることとして定義されてもよい。分数帯域幅は、その中心周波数で分割されたデバイスに関連した特定の帯域幅である。例えば、この開示に従うデバイスは、中心周波数８．１２５ＧＨｚを有する１．７５ＧＨｚの帯域幅を持っていてもよく、このように、その分数帯域幅は１．７５／８．１２５または２１．５％である。
【００１４】
ある態様では、装置は、ヘッドセット、医療機器、マイクロホン、生体計測センサ、心拍数モニター、歩数計、ＥＫＧデバイス、ユーザ入出力デバイス、腕時計、リモートコントロール、スイッチ、タイヤ圧モニター、娯楽デバイス、コンピュータ、ＰＯＳシステムデバイス、補聴器、セットトップボックス、携帯電話機、あるいは無線通信シグナリング性能の何らかの形式によるデバイスで実行されるか、または具備していてもよい。ある態様では装置は、ＷｉＦｉノードのようなアクセスポイントで実行されるか、または具備してもよい。例えば、アクセスポイントは、有線または無線通信リンクを介して別のネットワーク（例えばインターネットのような広域ネットワーク）への接続性を提供してもよい。
【００１５】
本開示の他の態様、利点および新規な特徴は、添付図面と共に検討されたときに、この開示の以下の詳細な説明から明白になる。
【図面の簡単な説明】
【００１６】
【図１Ａ】図１Ａは、この開示のいくつかの態様に従って発振信号を生成するための典型的な装置のブロック図を示す。
【図１Ｂ】図１Ｂは、この開示のいくつかの態様に従って発振信号を生成するための典型的な装置のブロック図を示す。
【図１Ｃ】図１Ｃは、この開示のいくつかの態様に従って発振信号を生成する典型的な方法のフロー図を示す。
【図２】図２は、この開示のいくつかの態様に従って発振信号を生成するための装置を較正する典型的な方法のフロー図を示す。
【図３】図３は、この開示のいくつかの態様に従って発振信号を生成するための装置を可能にし無効にする典型的な方法のフロー図を示す。
【図４】図４は、この開示のいくつかの態様に従って発振信号を生成するための典型的な装置の概要図を示す。
【図５】図５は、この開示のいくつかの態様に従って典型的な通信装置のブロックおよび概要図を示す。
【図６Ａ】図６Ａは、この開示のいくつかの態様に従って種々のパルス変調技術のタイミング図を示す。
【図６Ｂ】図６Ｂは、この開示のいくつかの態様に従って種々のパルス変調技術のタイミング図を示す。
【図６Ｃ】図６Ｃは、この開示のいくつかの態様に従って種々のパルス変調技術のタイミング図を示す。
【図６Ｄ】図６Ｄは、この開示のいくつかの態様に従って種々のパルス変調技術のタイミング図を示す。
【図７】図７は、この開示のいくつかの態様に従って種々のチャネルを通じて互いと通信する種々の通信装置のブロック図を示す。
【発明を実施するための形態】
【００１７】
この開示の種々の態様は下記に述べられる。ここでの教示が、種々様々の形式で具体化されていることと、任意の特定の構造、機能、またはここに開示されている両方が単に代表的であることは、明白であるべきである。ここで教示に基いて当業者は、ここで開示されたある態様が他の態様と無関係に実装され、これらの態様の２つ以上が種々の方法で合成されてもよいことを認識するべきである。例えば、装置は実装されてもよいし、方法はここで説明された態様の任意の数を用いて実行されてもよい。更に、そのような装置は実装されてもよいし、または、そのような方法は、ここで説明された態様の１つ以上に加えてまたはそれ以外に、他の構造、機能性、または構造および機能性を用いて実行されてもよい。
【００１８】
上記の概念のうちのいくつかの例として、いくつかの態様では、この開示に従う発明のデバイスまたは装置は、発振信号を生成する第１の回路と、第１の回路に第１の電流を供給する第２の回路と、第１の回路に第２の電流を供給する第３の回路と、を具備し、第１および第２の電流は発振信号が規定の定常状態条件に達するべき時間分を縮小するのに適している。他の態様では、発明の装置は、発振回路が定義された定常状態発振信号の生成を早めるために初期のより高い電流と、発振回路が定義された定常状態発振信号の生成を維持するための続くより低い電流と、を生成するのに適した単一の回路を次には具備するＶＣＯを具備してもよい。ここで用いられる用語「規定の」は、「予め決定された」「あらかじめ定められた」または「ダイナミックに定義された」と解釈されてもよい。
【００１９】
図１Ａは、この開示のいくつかの態様に従って発振信号を生成することについて典型的な装置１００のブロック図を示す。装置１００は、周波数入力によって指示される周波数を有する発振信号を生成することができる。何らかの態様では、装置１００は電圧制御発振器（ＶＣＯ）を構成されるかまたは具備してもよい。装置１００は、スタートアップ状態からの規定の定常状態条件に達する際に発振信号を早めるために、第１および第２の電流を生成する集積回路を具備する。より詳細に以下で議論されるように、これは通信チャネルを確立するために比較的低い負荷サイクルパルス変調を用いる通信装置のための特に役立つ。この点では、装置１００は、パルスのほぼ始めで発振信号を生成し始め、パルスのほぼ終わりに発振信号を生成することをやめる。
【００２０】
より具体的には、装置１００は、第１の電流（例えばゼロ入力バイアス電流）を生成する集積回路（ＩＣ）１０２と、第２の電流（例えばブーストバイアス電流）を生成するＩＣ１０４と、発振信号１０６を生成するＩＣ１０６と、を具備する。この例においては、ＩＣ１０２、１０４および１０６は分離したＩＣとして示されるが、これらのうちのどれでも１以上のＩＣへ構成されてもよいことが理解されるものとする。ＩＣ１０６は、周波数入力によって規定された周波数で繰り返される発振信号（例えば正弦波信号）を生成する。ＩＣ１０２はスタートアップと定常状態の状態中にＩＣ１０６に第１の電流を提供する。規定の定常状態条件に達する際に発振信号を早めるために、ＩＣ１０４はスタートアップの時にＩＣ１０６に第２の電流を提供する。規定の定常状態条件は、発振信号の周波数および／または振幅についての安定要件を指定してもよい。
【００２１】
図１Ｂは、この開示のいくつかの態様に従って発振信号を生成するための典型的な装置１５０のブロック図を示す。装置１５０は以前に議論された装置１００のより詳細な実装である。特に、装置１５０は、第１の電流（例えばゼロ入力バイアス電流）を生成するための回路１５２と、第２の電流（例えばブーストバイアス電流）を生成するための回路１５４と、出力定常状態検出器１５６と、周波数較正ユニット１５８と、発振信号を生成するための回路１６０（「発振回路」）と、周囲温度センサ１６２と、を具備する。回路１６０は、周波数較正ユニット１５８から受信された周波数調整通知によって調整可能な周波数で繰り返す発振信号を生成する。
【００２２】
周波数較正ユニット１５８は、発振信号の周波数または周波数範囲を指定する周波数入力通知を受信し、発振回路１６０の出力から受信されたサンプルからの発振信号の実際の周波数を測定する。周波数入力通知および測定された周波数に基いて、周波数較正ユニット１５８は、発振信号の周波数が周波数入力通知によって指定された要件内にあるように、発振回路１６０を調整する周波数調整通知を生成する。周波数較正ユニット１５８は、新規の周波数入力通知を受信する際に、定義された閾値を越える周囲温度における変化を検出する際に、および／またはパワーアップの際に発振信号の周波数を較正してもよい。周波数較正ユニット１５８は周囲温度センサ１６２から温度情報を受信する。
【００２３】
回路１５２はスタートアップおよび定常状態の状態中に発振回路１６０に第１の電流を提供する。ブーストバイアス回路１５４は、スタートアップ状態から規定の定常状態条件に達する発振信号を早めるために、スタートアップの間に発振回路１６０に第２の電流を提供する。出力定常状態検出器１５６は、検出器１５６が発振信号の規定の定常状態条件を検出する場合に、回路１５４を無効にするために発振回路１６０の出力をサンプリングする。このように、回路１５４は、発振信号が定義された定常状態に達するための時間を縮小するために発振回路１６０のスタートアップの間に用いられる。以前に議論したように、規定の定常状態条件は周波数および／または発振信号の振幅についての安定要件を指定してもよい。
【００２４】
図１Ｃは、この開示のいくつかの態様に従って発振信号を生成する典型的な方法１７０のフロー図を示す。方法１７０によれば、第１の電流（例えばゼロ入力バイアス電流）は生成される（ブロック１７１）。さらに、第２の電流（例えばブーストバイアス電流）は生成される（ブロック１７４）。その後、発振信号は第１および第２の電流に応じて生成される（ブロック１７６）。
【００２５】
図２は、この開示のいくつかの態様に従って装置１５０を較正する典型的な方法２００のフロー図を示す。方法２００によれば、周波数較正ユニット１５８は、装置１５０を組込むユニット（例えば通信装置）のパワーアップを検出する（ブロック２０２）。その後、周波数較正ユニット１５８は、発振回路１６０によって生成された発振信号について周波数または周波数範囲を指定する周波数入力通知を受信してもよい（ブロック２０４）。特定の応用において、より詳細に以下で議論されるように、規定の周波数範囲は比較的大きくてもよい。すなわち、装置１５０の出力周波数はあまり正確である必要がない。例えば、指定された周波数範囲は、定義された中心周波数の１パーセントと同じくらい大きくてもよい。
【００２６】
その後、周波数較正ユニット１５８は、発振器イネーブル信号を回路１５２および１５４に送信することにより、発振回路１６０が発振回路１６０に第１および第２の電流を提供することを可能にする（ブロック２０６）。その後、周波数較正ユニット１５８は、発振回路１６０に、初期周波数で繰り返される発振信号を生成させるために、入力周波数調整通知を生成する（ブロック２０８）。周波数較正ユニット１５８は、発振回路１６０のサンプリングされた出力からの発振信号の周波数を測定する（ブロック２１０）。
【００２７】
その後、周波数較正ユニット１５８は、発振信号の測定された周波数が定義された範囲内にあるかどうかを判定する（ブロック２１２）。測定された周波数が定義された範囲よりも上にあると周波数較正ユニット１５８が判定した場合には、周波数較正ユニット１５８は発振信号の周波数を減少させるように周波数調整通知をディクリメントする（ブロック２１４）。他方、測定された周波数が定義された範囲よりも下であると周波数較正ユニット１５８が判定した場合には、周波数較正ユニット１５８は発振信号の周波数を増加させるように入力周波数調整通知をインクリメントする（ブロック２１６）。動作２１４または２１６を行った後に、周波数較正ユニット１５８は、動作２１０および２１２において、別の周波数測定および比較をそれぞれ行う。
【００２８】
動作２１２で発振信号の測定された周波数が定義された範囲内にあると周波数較正ユニット１５８が判定した場合には、周波数較正ユニット１５８は周波数調整通知を記憶する（ブロック２１８）。その後、周波数較正ユニット１５８は、発振回路を無効にするように第１の電流を生成するのを止めるために、回路１５２にディスエーブル発振器信号を送信する（ブロック２２０）。出力定常状態検出器１５６が発振信号の規定の定常状態条件を検出した後に既に回路１５４を無効にしている可能性があるので、周波数較正ユニット１５８が回路１５４にディスエーブル発振器信号を送信する必要はないことに注意する。
【００２９】
以前に議論したように、定義された閾値を越える周囲温度変化を検出する場合、または新規の周波数入力通知を受信する場合には、周波数較正ユニット１５８は発振回路１６０の周波数較正を行ってもよい。この点では、周波数較正ユニット１５８は周囲温度センサ１６２から周囲温度情報を受信する（ブロック２２２）。その後、周波数較正ユニット１５８は、定義された閾値によって前の周波数較正に関連した周囲温度から現在の周囲温度が変ったかどうかを判定する（ブロック２２４）。周囲温度における変動が閾値を越えることを周波数較正が判定する場合、周波数較正ユニット１５８は発振回路１６０を有効にし（ブロック２２８）、動作２１０から２２０までによって指定されるような別の較正ルーチンを行う。
【００３０】
他方では、周囲温度における変動が閾値を越えないことを周波数較正ユニット１５８が判定する場合、周波数較正ユニット１５８はそれが新規の周波数入力通知を受信したかどうかを判定する（ブロック２２６）。周波数較正ユニット１５８が新規の周波数入力通知を受信していない場合、それは周囲温度が閾値を越えて変ったかどうかを判定するために動作２２２に戻ってもよい。他方、周波数較正ユニット１５８が新規の周波数入力通知を受信した場合、周波数較正ユニット１５８はまた（ブロック２２８）発振回路１６０を有効にし、動作２１０から２２０までによって指定されるような別の較正ルーチンを行う。周波数較正ユニット１５８は、率先して周囲温度変化および／または新規の周波数入力通知についてテストしてもよいし、または割込み動作によってそれに単に反応してもよい。
【００３１】
図３は、この開示のいくつかの態様に従って装置１５０を有効にし無効にする典型的な方法３００のフロー図を示す。方法３００によれば、装置１５０は外部デバイスから発振器イネーブル信号を受信する（ブロック３０２）。例えば、外部デバイスは、ＰＤＭＡまたはＰＤＭの変調方式の使用によって通信チャネルを確立するために用いられるパルス変調デバイスかもしれない。この点では、装置１５０は、ほぼパルスの持続期間だけ作動される。このように、パルスの先端は発振器イネーブル信号としての機能を果たしてもよい。
【００３２】
発振器イネーブル信号に応じて、電流生成回路１５２および１５４は任意の順に、または同時に作動される（ブロック３０４および３０６）。回路１５２および１５４の起動は発振回路１６０に発振信号を生成させ始める。以前に議論したように、回路１５４は発振信号が規定の定常状態条件に達するべき時間を縮小することを支援する。規定の定常状態条件は、発振信号の振幅および／または周波数の安定性に基いてもよい。例えば、規定の定常状態条件は、１５パーセント以上を変えない発振信号の振幅安定性を指定してもよい。規定の定常状態条件はまた、１パーセント以上を変えない発振信号の周波数安定性を指定してもよい。
【００３３】
出力定常状態検出器１５６は、発振回路１６０によって生成された発振信号の定常状態条件を測定する（ブロック３０８）。その後、出力定常状態検出器１５６は、発振信号の定常状態条件が規定の定常状態条件の要件を満たすかどうかを判定する（ブロック３１０）。発振信号の定常状態条件が要件を満たさない場合、規定の定常状態条件が満たされるまで、出力定常状態検出器１５６は動作３０８および３１０を行い続ける。発振信号の定常状態条件が仕様を満たすことを出力定常状態検出器１５６が判定する場合、出力定常状態検出器１５６は回路１５４を無効にする（ブロック３１２）。このように、回路１５４によって単に規定の定常状態条件に達する際に発振信号を早めることができ、それによって、定常状態発振中にエネルギーを節約する。
【００３４】
その後、装置１５０は外部デバイスから発振器ディスエーブル信号を受信してもよい（ブロック３１４）。以前に議論したように、外部デバイスはパルスの終わりで装置１５０を無効にしてもよい。従って、発振器ディスエーブル信号はパルスの立ち下がりでもよい。発振器ディスエーブル信号に応じて、回路１５２は作動しなくなる（ブロック３１６）。回路１５２を無効にする１つの目的は電力を節約することである。しかし、発振の持続性は回路１５２を初期に止めるために用いられ、それによって、より多くの電力を節約する。
【００３５】
図４は、この開示のいくつかの態様に従って発振信号を生成するための典型的な装置４００の概要図を示す。装置４００は以前に議論された態様のうちのいずれかの詳細な実装であってもよい。装置４００は、スイッチドキャパシターバンク４１６および負性抵抗生成器４１８と並列につながれたインダクタ４１４を含む発振回路４１２を具備する。装置４００は、発振回路４１２によって生成された発振信号の周波数を較正するのに適した周波数較正回路４１０をさらに具備する。より具体的には、周波数較正回路４１０は、スイッチドキャパシターバンク４１６のどのコンデンサが、インダクタ４１４および負性抵抗生成器４１８と並列にそれによってつながれ、それによって発振信号の周波数を制御するかを選択するデジタル周波数通知を生成する。周波数較正回路４１０は、同調目的のため信号の周波数を測定するために発振信号の期間を数えるカウンタ（図示せず）を含んでもよい。
【００３６】
装置４００は、直流（ＤＣ）電源４１０、第１の制御可能電流源４０４および、休止ＤＣバイアス回路４０２をさらに具備する。電源４０９は第１の制御可能電流源４０４に電力を供給する。イネーブル信号を受信することに応じて、休止ＤＣバイアス回路４０２は、第１の制御可能電流源４０４によって発振回路４１２に適用されるゼロ入力バイアス電流を制御する。ゼロ入力バイアス電流はスタートアップに用いられ、発振信号を生成する発振回路４１２を維持するために用いられる。
【００３７】
装置４００はさらにブーストバイアス回路４２２、出力定常状態検出器４２０、制御可能アンプ４２４および第２の制御可能電流源４０８を具備する。電源４０９は第２の制御可能電流源４０８に電力を供給する。イネーブル信号を受信することに応じて、ブーストバイアス回路４２２は、制御可能アンプ４２４および第２の制御可能電流源４０８によって発振回路４１２に適用されるブーストバイアス電流を生成する。以前に議論したように、ブーストバイアス回路４２２は発振信号が規定の定常状態条件に達するべき時間を縮小することを支援する。出力定常状態検出器４２０は、発振信号の定常状態条件を判定するために、発振回路４１２につながれる。発振信号の振幅、周波数または両方の振幅および周波数が定義された仕様を満たすことを出力定常状態検出器４２０が判定する場合、ブーストバイアス電流がもはや発振回路４１２に適用されないように、出力定常状態検出器４２０は制御可能アンプ４２４を無効にする。
【００３８】
図５は、この開示のいくつかの態様に従って局部発振器（ＬＯ）としての発振信号に関する１以上の装置を用いる典型的な通信装置５００のブロック図を示す。通信装置５００は、低雑音増幅器（ＬＮＡ）５０２、ミキサー５０４、受信機局部発振器（ＬＯ）５１０、ベースバンドアンプ５０６、およびエネルギー検出器５０８を含む受信機部分を具備する。通信装置５００は、ベースバンドアンプ５２８、ミキサー５２６、送信機ＬＯ ５２２、および電力増幅器５２４を含む送信機部分をさらに具備する。通信装置５００は、アンテナ５１２および、送信の間に受信機部分から選択的に送信機部分を分離するスイッチ５１４をさらに具備する。さらに、通信装置５００はベースバンドユニット５２０、チャネルコントローラ５１８、およびパルス変調器５１６を具備する。ベースバンドユニット５２０は、受信機部分から受信されたベースバンド信号を処理し、送信機部分による送信のためのベースバンド信号を処理する。
【００３９】
パルス分割多重アクセス（ＰＤＭＡ）、パルス分割マルチプレキシング（ＰＤＭ）または他の型のパルス変調を用いて、受信通信チャネル（例えばウルトラワイドバンド（ＵＷＢ）通信チャネル）を確立するために、パルスによって定義された特定のインスタンスで受信機ＬＯを有効にするパルス変調器５１６は、受信機ＬＯ ５１０につながれる。ＰＤＭＡ、ＰＤＭまたは他の型のパルス変調を用いて、送信する通信チャネル（例えばウルトラワイドバンド（ＵＷＢ）通信チャネル）を確立するために、パルスによって定義された特定のインスタンスで送信機ＬＯを有効にするパルス変調器５１６は、送信機ＬＯ ５２２にもつながれる。送信および受信チャンネルは、チャネルは互いに干渉しないように直交していてもよいが、同時に確立されてもよい。ウルトラワイドバンド（ＵＷＢ）チャネルは、約２０％またはそれ以上のオーダーでの分数帯域幅があるチャネルとして定義されてもよく、約５００ＭＨｚまたはそれ以上のオーダーでの帯域幅を持っているか、約２０％またはそれ以上のオーダーでの分数帯域幅を持っており、約５００ＭＨｚまたはそれ以上のオーダーでの帯域幅を有する。分数帯域幅は、その中心周波数で分割されたデバイスに関連した特定の帯域幅である。例えば、この開示に従うデバイスは、中心周波数８．１２５ＧＨｚで１．７５ＧＨｚの帯域幅を持っていてもよく、このようにその分数帯域幅は１．７５／８．１２５または２１．５％である。
【００４０】
チャネルコントローラ５１８は、より詳細に以下で議論されるようなパルス変調技術によって受信および送信の通信チャネルを確立するために、パルス変調器５１６につながれる。チャネルコントローラ５１８は、スイッチがＬＮＡ ５０２にアンテナ５１４をつなぐ受信モードにスイッチを設定するか、またはスイッチがアンテナ５１２に電力増幅器５２４をつなぐ送信モードにスイッチを設定するために、スイッチ５１４につながれる。通信装置５００が、ＩＥＥＥ８０２．１１または８０２．１５関連無線装置のような無線装置として構成される場合、アンテナ５０４は、他の無線装置から無線で情報を送信するし受信するために無線媒体にインタフェースとしての機能を果たす。
【００４１】
送信機と受信機を有効にし無効にするパルス変調技術を用いると、向上されたパワー効率が通信装置５００用に実現される可能性がある。例えば、送信機が送信しておらず、受信機が受信していない間、これらのデバイスは、バッテリーによって提供される電力のような電力を節約するために、低電力またはゼロ電力モードで作動されてもよい。データ伝送に関して、例えば、周波数帯幅を占めるデータは、時間インターバル内の第１期間に送信され、ここでは、変動が少なくとも２つの時間インターバルに関連しているように変化する第１期間でデータが送信され、通信装置５００のいくつかのコンポーネントの電力消費はインターバル内の少なくとも第２期間で縮小される場合である。
【００４２】
図６Ａは、ＰＤＭＡ変調の例として異なるパルス繰返周波数（ＰＲＦ）で定義された異なるチャネル（チャネル１および２）を示す。具体的には、チャネル１に関するパルスは、パルス間遅延期間（pulse-to-pulse delay period）６０２に対応するパルス繰返周波数（ＰＲＦ）がある。反対に、チャネル２に関するパルスはパルス間遅延期間６０４に対応するパルス繰返周波数（ＰＲＦ）がある。この技術は、２つのチャネル間のパルス衝突の比較的低い尤度により擬直交チャネルを定義するためにこのように用いられてもよい。特に、パルス衝突の低い尤度は、パルスに関する低い負荷サイクルの使用を通じて実現されてもよい。例えばパルス繰返周波数（ＰＲＦ）の適切な選択を通して、実質的に、あるチャネルに関するパルスはすべて任意の他のチャネルに関するパルスとは異なる時間で送信されてもよい。チャネルコントローラ５１８およびパルス位置変調器５１６はパルス繰返周波数（ＰＲＦ）変調をセットアップするように構成されてもよい。
【００４３】
あるチャネルについて定義されたパルス繰返周波数（ＰＲＦ）は、そのチャネルによってサポートされたデータレートまたはレートに依存してもよい。例えば、非常に低いデータレート（例えば数キロビット／秒またはＫｂｐｓのオーダー）をサポートするチャネルは、対応する低いパルス繰返周波数（ＰＲＦ）を用いてもよい。反対に、高データレート（例えば数メガビット／秒またはＭｂｐｓのオーダー）を比較的サポートするチャネルは、対応してより高いパルス繰返周波数（ＰＲＦ）を用いてもよい。
【００４４】
図６Ｂは、ＰＤＭＡ変調の例として異なるパルス位置またはオフセットで定義された異なるチャネル（チャネル１および２）を示す。チャネル１に関するパルスは、（例えば、図示はしないが、ある時点に関して）最初のパルスオフセットに従って線６０６によって表されるような時点で生成される。反対に、チャネル２に関するパルスは、第２のパルスオフセットに従って線６０８によって表されるような時点で生成される。（矢６１０によって表されるような）パルス間のパルスオフセット差が与えられた場合、この技術は２つのチャネル間のパルス衝突の尤度を減少させるために用いられてもよい。（例えばここで議論されるような）チャネル、およびデバイス間のタイミングの精度（例えば相対的なクロックドリフト）について定義される任意の他のシグナリングパラメータに依存して、異なるパルスオフセットの使用は、直交または擬直交チャネルを提供するために用いられてもよい。チャネルコントローラ５１８およびパルス位置変調器５１６は位置またはオフセットの変調をセットアップするように構成されてもよい。
【００４５】
図６Ｃは、異なるタイミングホッピングシーケンスで定義された異なるチャネル（チャネル１および２）を示す。例えば、チャネル１に関するパルス６１２はワンタイムホッピングシーケンスに従って時々生成されてもよく、一方、チャネル２に関するパルス６１４が別の時間ホッピングシーケンスに従って時々生成されていてもよい。用いられる特殊シーケンス、およびデバイス間のタイミングの精度に依存して、この技術は直交または擬直交チャネルを提供するために用いられてもよい。例えば、時間ホップされたパルス位置は、隣接のチャネルからの繰り返しパルス衝突の可能性を縮小するために周期的ではなくてもよい。チャネルコントローラ５１８およびパルス位置変調器５１６は時間ホッピング変調をセットアップするように構成されてもよい。
【００４６】
図６Ｄは、ＰＤＭ変調の例として異なるタイムスロットで定義された異なるチャネルを示す。チャネルＬｌに関するパルスは特定の時間インスタンスで生成される。同様に、チャネルＬ２に関するパルスは他の時間インスタンスで生成される。同じ方法で、チャネルＬ３に関するパルスはさらに他の時間インスタンスで生成される。一般的に、異なるチャネルに関係する時間インスタンスは、一致しないか、または種々のチャネル間の干渉を縮小するか消去するために直交していてもよい。チャネルコントローラ５１８およびパルス位置変調器５１６はＰＤＭ変調をセットアップするように構成されてもよい。
【００４７】
パルス変調スキームに従ってチャネルを定義するために、他の技術が用いられてもよいことは、認識されるべきである。例えば、チャネルは、異なる拡散擬似乱数列、または何らかの他の適切な１以上のパラメータに基いて定義されてもよい。さらに、チャネルは２つ以上のパラメータの組合せに基いて定義されてもよい。
【００４８】
図７は、この開示のいくつかの態様に従って種々のチャネルを通じて互いに通信する種々のウルトラワイドバンド（ＵＷＢ）通信装置のブロック図を示す。例えば、ＵＷＢデバイス１ ７０２は２つの同時ＵＷＢチャネル１および２を通じてＵＷＢデバイス２ ７０４と通信している。ＵＷＢデバイス７０２は１つのチャネル３によってＵＷＢデバイス３ ７０６と通信している。また次には、ＵＷＢデバイス３ ７０６は、１チャネル４によってＵＷＢデバイス４ ７０８と通信している。他の構成は可能である。
【００４９】
任意のここで記述されたこれら装置は種々の形式をとってもよい。例えばいくつかの態様では、装置は、電話機（例えば携帯電話）、個人データ補助物（「ＰＤＡ」）、ヘッドセット（例えばヘッドホン、イヤホーンなど）、マイクロホン、医療機器（例えば生体計測センサ、心拍数モニター、歩数計、ＥＫＧデバイスなど）、生体計測センサ、心拍数モニター、歩数計、ＥＫＧデバイス、ユーザ入出力デバイス、腕時計、リモートコントロール、スイッチ、ライトスイッチ、キーボード、マウス、タイヤ圧監視、娯楽デバイス（例えば音楽または映像デバイス）、コンピュータ、ＰＯＳシステムのデバイス、補聴器、セットトップボックス、または無線通信シグナリング性能の何らかの形式によりデバイスに実装されるか、これらを具備してもよい。さらに、これら装置は異なる電力およびデータ要求を持っていてもよい。ある態様では、ここで記述されたいずれかの装置も、低消費電力アプリケーション（例えばパルスに基いた信号方式および低い負荷サイクルモードの使用を通じて）での使用に適している可能性があり、（例えば高帯域幅パルスの使用を通じて）比較的高データレートを含む様々なデータレートをサポートしてもよい。ある態様では、ここで記述された装置のうちのどれでもＷｉ−Ｆｉノードのようなアクセスポイントに実装されるか、または具備してもよい。例えば、そのような装置は、有線か無線通信リンクを介して別のネットワーク（例えばインターネットのような広域ネットワーク）に接続性を提供してもよい。
【００５０】
任意のこれらの装置は、無線通信リンクを介して送信されまたは受信される信号に基づいて機能を行う種々のコンポーネントを含んでもよい。例えば、ヘッドセットは、ここで記述された態様のうちの任意のものを組込む局部発振器に応答する受信機によって確立された無線通信リンクを介して受信された信号に基いて聞える出力を提供するのに適したトランスデューサーを含んでもよい。腕時計は、ここで記述された態様のうちの任意のものを組込む局部発振器に応答する受信機によって無線通信リンクを介して受信された信号に基いて視覚的な出力を提供するのに適したディスプレイを含んでもよい。医療機器は、ここで記述された態様のうちの任意のものを組込む局部発振器に応答する送信機によって無線通信リンクを介して送信される、少なくともセンスされた信号、またはセンスされたデータを生成するのに適したセンサを含んでもよい。
【００５１】
この開示の種々の態様は上記に記述されている。ここでの教示が種々様々の形式で具体化されてもよいこと、および、ここに開示されている任意の特定の構造、機能または両方は単に代表に過ぎないことは明らかである。ここでの教示に基いて、当業者は、ここで開示されたある態様が他の態様と無関係に実行され、２つ以上のこれらの態様が種々の方法で合成されてもよいことを認識するべきである。例えば、ここで説明された任意の数の態様を用いて、装置は実装されてもよいし、または方法は実践されてもよい。更に、他の構造、機能性、またはここで説明された態様の１つ以上に加えてまたはこれら以外での構造および機能性を用いて実行されてもよい。上記の概念のうちのいくつかの例として、いくつかの態様では、同時チャネルはパルス繰返周波数に基いて確立されてもよい。ある態様では、同時チャネルはパルス位置またはオフセットに基いて確立されてもよい。ある態様では、同時チャネルは時間ホッピングシーケンスに基いて確立されてもよい。ある態様では、同時チャネルは、パルス繰返周波数、パルス位置またはオフセット、および時間ホッピングシーケンスに基いて確立されてもよい。
【００５２】
情報および信号は、様々な異なる技術および技法のうちのいずれかを使用して表され得ることを当業者は理解するであろう。例えば、以上の説明の至るところで参照され得るデータ、命令、コマンド、情報、信号、ビット、記号、およびチップは、電圧、電流、電磁波、磁場もしくは磁性粒子、光場もしくは光粒子、またはそれらの任意の組合せによって表され得る。
【００５３】
当業者は、種々の例示的な論理ブロック、モジュール、プロセッサ、手段、回路、およびここで開示された態様に関連して記述されたアルゴリズムステップが電子ハードウェア（例えば、デジタル実装、アナログ実装またはソースコーディングまたは他のいくつかの技術を用いて設計されてもよい２つの組合せ）、命令を取り込むプログラムまたは設計コードの種々の形式（ここでは便宜上、「ソフトウェア」または「ソフトウェアモジュール」と呼ぶ）、または、この両方の組み合わせとして実装されてもよいことをさらに認識するだろう。ハードウェアおよびソフトウェアのこの交換可能性を明瞭に例示するために、様々な例示的な成分、ブロック、モジュール、回路、およびステップが、一般的に、それらの機能性に関して記述されている。かかる機能性がハードウェアまたはソフトウェアとして実装されるかどうかは、システム全体に課せられた設計制約および特定の応用に依存する。当業者は、記述された機能性を、それぞれの特定の応用に関して様々な方法で実装してもよいが、かかる実装決定は、本開示範囲からの逸脱を引き起こすと解釈されるべきではない。
【００５４】
ここで開示された態様に関連して記述される種々の例示の論理ブロック、モジュール、および回路は、集積回路（「ＩＣ」）内に実装されてもよいし、ＩＣによって実行されてもよい。ＩＣは、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブルロジックデバイス、個別のゲートまたはトランジスタロジック、個別のハードウェア構成機器、電子的コンポーネント、光学コンポーネント、機械的なコンポーネントまたはここに記述された機能を行うことを目指した任意のそれらの組み合わせを具備してもよく、またＩＣ内部、ＩＣ外部、またはその両方に存在する符号または命令を実行してもよい。汎用プロセッサはマイクロプロセッサでもよいが、代わりに、プロセッサは任意の従来のプロセッサ、コントローラ、マイクロコントローラまたは状態機械でもよい。プロセッサはまた、コンピューティング装置の組合せ（例えば、ＤＳＰとマイクロプロセッサの組合せ、複数のマイクロプロセッサ、ＤＳＰコアと連動する１以上のマイクロプロセッサ、または任意の他のそのような構成）として実装されてもよい。
【００５５】
任意の開示されたプロセスにおける任意の特定の順序またはステップの階層が、サンプルアプローチの例であることは理解される。設計選択に基いて、プロセスにおける任意の特定の順序またはステップの階層が、本開示の範囲内にありつつ再整理されてもよいことは理解される。伴う方法は、サンプル順序での種々のステップの現在の要素を請求し、現在の特定の順序またはステップの階層に限定することを意味しない。
【００５６】
ここで開示された態様に関連して記述された方法またはアルゴリズムのステップは、直接ハードウェアで、プロセッサによって実行されるソフトウェアモジュール、または２つの組合せにおいて具現化されてもよい。（例えば、実行可能命令および関連するデータを含む）ソフトウェアモジュールおよび他のデータは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術において既知のコンピュータ読取可能記憶媒体の任意の他の形式のようなデータメモリに存在してもよい。サンプル記憶媒体は、例えば（利便性上ここでは「プロセッサ」と呼ばれてもよい）コンピュータ／プロセッサのような機械につながれてもよく、そのようなプロセッサは情報（例えば符号）を記憶媒体から読み出し、記憶媒体へ書き込みすることができる。サンプル記憶媒体はプロセッサに不可欠かもしれない。プロセッサ及び記憶媒体はＡＳＩＣ内に存在してもよい。ＡＳＩＣはユーザ機器に存在してもよい。代替案では、プロセッサと記憶媒体はユーザ機器において個別部品として存在してもよい。さらに、いくつかの態様では、いずれか適切なコンピュータプログラム製品も、この開示の態様の１つ以上に関連する符号を具備するコンピュータ読取可能媒体を具備してもよい。ある態様では、コンピュータプログラム製品は包装材料を具備してもよい。
【００５７】
この発明は種々の態様に関連して記述されているが、この発明がさらなる変更ができることは理解される。本出願は、任意の変更、以下の本発明の使用または適応一般的には本発明の原理をカバーするように意図され、本発明が関係する技術範囲内で既知かつ慣行に入るような本開示からの逸脱を含んでいる。
【図１Ａ】
2010524335.tif 000003
【図１Ｂ】
2010524335.tif 000004
【図１Ｃ】
2010524335.tif 000005
【図２】
2010524335.tif 000006
【図３】
2010524335.tif 000007
【図４】
2010524335.tif 000008
【図５】
2010524335.tif 000009
【図６Ａ】
2010524335.tif 000010
【図６Ｂ】
2010524335.tif 000011
【図６Ｃ】
2010524335.tif 000012
【図６Ｄ】
2010524335.tif 000013
【図７】
2010524335.tif 000014
【国際調査報告】
2010524335.tif 000015
2010524335.tif 000016
2010524335.tif 000017
2010524335.tif 000018
2010524335.tif 000019